(57)【要約】【課題】被写体照明用の光源を明らかに使用しない場合や、明らかに使用することが必要な場合に、自動的に光源の消灯、あるいは点灯を制御する機能を備えたレンズ装置およびカメラ装置を提供する。【解決手段】カメラ本体から取り外し可能なレンズ装置であって、撮影光学系と、光源と、前記光源の点灯制御を行う制御部と、を有し、前記制御部は、前記撮影光学系の光学配置状態に応じて、前記光源の点灯制御を行う。【選択図】図１
2017142426.tif 000002
【特許請求の範囲】
【請求項１】
カメラ本体から取り外し可能なレンズ装置であって、
撮影光学系と、
光源と、
前記光源の点灯制御を行う制御部と、
を有し、
前記制御部は、
前記撮影光学系の光学配置状態に応じて、前記光源の点灯制御を行うことを特徴とするレンズ装置。
【請求項２】
前記制御部は、前記撮影光学系の沈胴状態に応じて、前記光源を自動的に消灯させることを特徴とする請求項１に記載のレンズ装置。
【請求項３】
カメラ本体から取り外し可能であり、前記カメラ本体との通信が可能なレンズ装置であって、
撮影光学系と、
光源と、
前記光源の点灯制御を行う制御部と、
を有し、
前記制御部は、
前記撮影光学系の光学配置状態に応じて、もしくは前記撮影光学系の光学配置状態および前記カメラ本体の撮影モードに応じて、前記光源の点灯制御を行うことを特徴とするレンズ装置。
【請求項４】
前記制御部は、前記撮影光学系が沈胴状態であることに応じて、前記光源を消灯させることを特徴とする請求項３に記載のレンズ装置。
【請求項５】
前記制御部は、前記撮影光学系がマクロ撮影時の光学配置であり、前記撮影モードが所定の撮影モードであることを検出したことに応じて前記光源を点灯させることを特徴とする請求項３に記載のレンズ装置。
【請求項６】
前記所定の撮影モードは、ファインダ非使用モード、タイマー撮影、リモート撮影のいずれかの撮影モードであることを特徴とする請求項５に記載のレンズ装置。
【請求項７】
前記制御部は、前記撮影光学系の非マクロ撮影状態および前記カメラ本体の撮影スタンバイ状態に応じて、前記光源を自動的に点灯させる制御信号を出力することを特徴とする請求項３に記載のレンズ装置。
【請求項８】
前記制御部は、前記撮影光学系が非マクロ撮影状態であって、前記光源を手動で点灯させる点灯操作手段を操作した状態で、かつシャッタが閉じられた状態であることに応じて、前記光源を自動的に点灯させる制御信号を出力することを特徴とする請求項３に記載のレンズ装置。
【請求項９】
撮影光学系と、
光源素子を含む照明手段と、
前記光源素子の点灯制御を行う制御手段と、
前記撮影光学系が沈胴状態であることを検知する沈胴検知手段と、
を備えたカメラ装置において、
前記制御手段は、前記沈胴検知手段によって前記撮影光学系が沈胴状態であることが検知されたことに応じて、前記照明手段を消灯することを特徴とするカメラ装置。
【請求項１０】
撮影光学系と、
光源素子を含む照明手段と、
前記光源素子の点灯制御を行う制御手段と、
前記撮影光学系がマクロ撮影時の光学配置であることを検知するマクロ検知手段と、
を備えたカメラ装置において、
前記制御手段は、前記マクロ検知手段によって前記撮影光学系がマクロ撮影時の光学配置であるか否かに応じて、前記点灯制御を行うことを特徴とするカメラ装置。
【請求項１１】
撮影光学系と、
光源素子を含む照明手段と、
前記照明手段の点灯制御を行う制御手段と、
前記照明手段の点灯／消灯をユーザーが外部から指示する点灯操作手段と、
撮影のためのシャッターボタンと、
を備えたカメラ装置において、
前記制御手段は、前記撮影光学系が非マクロ撮影状態であって、前記点灯操作手段からの点灯指示を受け、かつ前記シャッターボタンが操作されたときに、前記照明手段を点灯するよう制御するようにしたことを特徴とするカメラ装置。
【発明の詳細な説明】
【技術分野】
【０００１】
本発明は、レンズ装置およびカメラ装置に関する。
【背景技術】
【０００２】
カメラにおいて被写体を至近距離で撮影する場合、近過ぎてカメラ本体やレンズ、撮影者等により被写体に影ができ、良好な撮影ができない状況が発生するときがある。このようなとき、レンズ先端に光源（円環状のライト）を装着して撮影がされる。近年は、ＬＥＤの高輝度化、低価格化により、ＬＥＤを使用したライトが一般的に使用されている。
【０００３】
ところで、レンズの動作モードによってはＬＥＤライトを使用するかしないかが明らかな場合があり、このようなモードで使用するときに手動でその都度ＬＥＤライトの点灯・消灯を操作するのは煩わしい。また、消灯し忘れて電池を無駄に消費したりすることもあり得る状況で、使い勝手として良くはなかった。
【０００４】
ところで、フラッシュを内蔵したカメラにおいて、内蔵フラッシュの自動発光が可能な自動選択撮影モードと、内蔵フラッシュの自動発光を禁止する発光禁止自動撮影モードを有する制御手段を備えたものが知られている（特許文献１）。
【先行技術文献】
【特許文献】
【０００５】
【特許文献１】特開２００１−００５０６６号公報
【発明の概要】
【発明が解決しようとする課題】
【０００６】
しかしながら、上述の特許文献に開示された従来技術は、レンズの光学配置状態によって自動的にライトを点灯制御（点灯もしくは消灯）するものではない。
【０００７】
本発明の目的は、被写体照明用の光源を明らかに使用しない場合や、明らかに使用することが必要な場合に、自動的に光源の消灯、あるいは点灯を制御する機能を備えたレンズ装置およびカメラ装置を提供することにある。
【課題を解決するための手段】
【０００８】
上記目的を達成するため、本発明に係るレンズ装置は、カメラ本体から取り外し可能なレンズ装置であって、撮影光学系と、光源と、前記光源の点灯制御を行う制御部と、を有し、前記制御部は、前記撮影光学系の光学配置状態に応じて、前記光源の点灯制御を行うことを特徴とする。
【０００９】
また、本発明に係る別のレンズ装置は、カメラ本体から取り外し可能であり、前記カメラ本体との通信が可能なレンズ装置であって、撮影光学系と、光源と、前記光源の点灯制御を行う制御部と、を有し、前記制御部は、前記撮影光学系の光学配置状態に応じて、もしくは前記撮影光学系の光学配置状態および前記カメラ本体の撮影モードに応じて、前記光源の点灯制御を行うことを特徴とする。
【００１０】
また、本発明に係るカメラ装置は、撮影光学系と、光源素子を含む照明手段と、前記光源素子の点灯制御を行う制御手段と、前記撮影光学系が沈胴状態であることを検知する沈胴検知手段と、を備えたカメラ装置において、前記制御手段は、前記沈胴検知手段によって前記撮影光学系が沈胴状態であることが検知されたことに応じて、前記照明手段を消灯することを特徴とする。
【００１１】
また、本発明に係る別のカメラ装置は、撮影光学系と、光源素子を含む照明手段と、前記光源素子の点灯制御を行う制御手段と、前記撮影光学系がマクロ撮影時の光学配置であることを検知するマクロ検知手段と、を備えたカメラ装置において、前記制御手段は、前記マクロ検知手段によって前記撮影光学系がマクロ撮影時の光学配置であるか否かに応じて、前記点灯制御を行うことを特徴とする。
【００１２】
また、本発明に係る別のカメラ装置は、撮影光学系と、光源素子を含む照明手段と、前記照明手段の点灯制御を行う制御手段と、前記照明手段の点灯／消灯をユーザーが外部から指示する点灯操作手段と、撮影のためのシャッターボタンと、を備えたカメラ装置において、前記制御手段は、前記撮影光学系が非マクロ撮影状態であって、前記点灯操作手段からの点灯指示を受け、かつ前記シャッターボタンが操作されたときに、前記照明手段を点灯するよう制御するようにしたことを特徴とする。
【発明の効果】
【００１３】
本発明によれば、被写体照明用の光源を明らかに使用しない場合や、明らかに使用することが必要な場合に、自動的に光源の消灯、あるいは点灯を制御する機能を備えたレンズ装置およびカメラ装置を提供することができる。
【図面の簡単な説明】
【００１４】
【図１】本発明の実施形態に係るレンズ装置をカメラ本体に着脱可能に装着したカメラ装置のブロック図である。
【図２】本発明の第１の実施形態におけるレンズの沈胴状態及びマクロ状態でのＬＥＤ素子点灯制御についての制御フローである。
【図３】本発明の第２の実施形態におけるＬＥＤ素子点灯ボタンとシャッターボタンによるＬＥＤ素子点灯制御についての制御フローである。
【発明を実施するための形態】
【００１５】
以下に、本発明の好ましい実施の形態を、添付の図面に基づいて詳細に説明する。
【００１６】
《第１の実施形態》
（カメラ装置およびこれに用いられるレンズ装置）
図１は、本発明の第１の実施形態に係るレンズ装置（交換レンズユニット２００）をカメラ本体（カメラボディ３００）に着脱可能に装着したカメラ装置（光学機器としてのカメラシステム１００）のブロック図である。以下、カメラボディ３００、交換レンズユニット２００について、具体的構成を説明する。
【００１７】
なお、本願明細書で、レンズの光学配置状態とは、レンズの光軸方向におけるレンズ配置状態を指す。そして、本願明細書で、このようなレンズの光学配置状態の種類としては、通常撮影時のレンズ配置状態（非マクロ撮影状態）、マクロ撮影時のレンズ配置状態（マクロ撮影状態）、非撮影時のレンズ配置状態（沈胴状態）の３つがある。
【００１８】
１）カメラボディ３００
カメラ本体であるカメラボディ３００内には、カメラマウント３０１、接点ブロック３０２、カメラＣＰＵ３０３、制御系電源３０４、駆動系電源３０５、カメラ通信Ｉ／Ｆ部３０６（通信手段）、レンズ装着検出部３０７が設けられている。更に、測距ユニット３０８、接眼検知部３０９、液晶表示部３１０、撮影のためのシャッターボタン３１１が設けられている。
【００１９】
カメラマウント３０１は、交換レンズユニット２００を後述のレンズマウント２０１を介してカメラボディ３００に機械的に着脱可能にする。また、接点ブロック３０２は、複数の通信端子を有し、カメラマウント３０１に交換レンズユニット２００を装着した際に後述の交換レンズユニット側の接点ブロック２０２に結合される。
【００２０】
カメラＣＰＵ３０３は、制御手段（制御部）として被写体照明用の光源である複数の光源素子（ＬＥＤ素子２１１）の点灯制御（点灯、消灯）を含め、カメラボディ３００のすべての制御を司っており、内部にはＲＡＭ、ＲＯＭ、ＥＥＰＲＯＭ等を内蔵している。制御系電源３０４は、測距ユニット３０８や不図示の測光部等の電力消費量が比較的少なく安定した出力電圧を必要とする制御系回路に電力を供給する。また、駆動系電源３０５は、交換レンズユニット２００や不図示のシャッタ制御部等の電力消費量が比較的多い駆動系回路に電力を供給する。なお、制御系電源３０４と駆動系電源３０５は、不図示の電池から供給される。
【００２１】
カメラ通信Ｉ／Ｆ部３０６は、後述のレンズＣＰＵ２０３と通信を行うためのＩ／Ｆ回路で、測距情報や測光情報、ＩＤ情報、電源等を送受信する。レンズ装着検出部３０７は、交換レンズユニット２００が装着されたことを検出する。また、測距ユニット３０８は、交換レンズユニット２００からの光束を用いて被写体までのデフォーカス量を検出する、いわゆる位相差検出型の測距ユニットである。そして、接眼検知部３０９（接眼検知手段）は、ファインダに眼を接眼している状態（接眼状態）か否かを検知してカメラＣＰＵ３０３に伝える。
【００２２】
液晶表示部３１０は、撮影映像、撮影画像、設定状態等の表示を行う表示手段で、本実施形態ではカメラの設定状態の表示や撮像画面のライブビュー表示、静止画撮像時のプレビュー表示等を行う液晶表示画面である。また、３１１は撮像操作のためのシャッターボタンである。
【００２３】
２）交換レンズユニット２００
カメラボディ３００から取り外し可能なレンズ装置である交換レンズユニット２００内には、レンズマウント２０１、接点ブロック２０２、レンズＣＰＵ２０３（制御手段、制御部）が設けられている。また、撮影光学系を構成するレンズの一部としてフォーカスレンズ２０４、フォーカスレンズ駆動部２０５が設けられている。更に、絞り羽根２０６、絞り開放位置検出センサ２０７、ステッピングモータ２０８、絞り駆動部２０９、レンズ通信Ｉ／Ｆ部２１０（通信手段）が設けられている。
【００２４】
更に、ＬＥＤ素子２１１（複数のＬＥＤ素子によりＬＥＤライトを構成する照明手段）、ＬＥＤ駆動部２１２、沈胴領域検知部２１３（沈胴検知手段）、マクロ領域検知部２１４（マクロ検知手段）が設けられている。また、ＬＥＤ素子点灯ボタン２１５（点灯／消灯をユーザーが外部から指示する点灯操作手段）が設けられている。
【００２５】
レンズマウント２０１は、カメラボディ３００をカメラマウント３０１を介して交換レンズユニット２００に機械的に着脱可能にする。接点ブロック２０２は複数の通信端子を有し、レンズマウント２０１にカメラボディ３００を装着した際にカメラボディ側の接点ブロック３０２に結合される。
【００２６】
レンズＣＰＵ２０３は、交換レンズユニット２００内のすべての制御を司っており、内部にはＲＡＭ、ＲＯＭ、ＥＥＰＲＯＭ、後述するステッピングモータ２０８を駆動するための駆動制御部等を内蔵している。フォーカスレンズ駆動部２０５は、レンズＣＰＵ２０３からの命令に従ってフォーカスレンズ２０４を光軸に沿って駆動させることで、焦点調節を可能にしている。
【００２７】
絞り駆動部２０９は、レンズＣＰＵ２０３からの命令に従ってステッピングモータ２０８を回転させることで絞り羽根２０６を駆動し、絞り値（Ｆ値）を制御している。絞り開放位置検出センサ２０７はフォトインタラプタ等のセンサで構成されており、絞り羽根が開放位置か否かを検出し、その検出結果はレンズＣＰＵ２０３によって管理されている。
【００２８】
レンズ通信Ｉ／Ｆ部２１０は、カメラＣＰＵ３０３と通信を行うためのＩ／Ｆ回路で、測距情報や測光情報、ＩＤ情報、電源等を送受信する。ＬＥＤ駆動部２１２は、レンズＣＰＵ２０３からの指示（制御信号）に従って、ＬＥＤ素子２１１を点灯制御する。
【００２９】
沈胴領域検知部２１３、マクロ領域検知部２１４は、可変抵抗器やフォトインタラプタ等のセンサーにより、レンズの位置が沈胴領域にあるかないか、またマクロ領域にあるかないかをそれぞれ検知し、レンズＣＰＵ２０３に伝える。ただ、これは、レンズの光学配置状態としての沈胴状態やマクロ状態を手動で切り替える場合である。
【００３０】
これに対し、レンズの光学配置状態によっては、カメラＣＰＵ３０３からの指令により電動制御で自動的に切り替える場合がある。この場合は、カメラＣＰＵ３０３からの沈胴状態指令やマクロ状態指令を受信することが、沈胴状態やマクロ状態を検知することに相当する。即ち、カメラボディ３００からレンズの沈胴指示、マクロ状態の指示が行われたとき、これをそれぞれ沈胴検知手段、マクロ検知手段としてレンズＣＰＵ２０３が認識するようにしている。そして、レンズＣＰＵ２０３は、後述するように、これらレンズの光学配置状態に応じて、ＬＥＤ素子２１１の点灯制御を行う制御信号を出力する。
【００３１】
（ＬＥＤ素子のマニュアル点灯、マニュアル消灯に係るボタン操作）
ＬＥＤ素子点灯ボタン２１５は、ユーザーがＬＥＤ素子２１１を点灯したいときにＯＮ操作し、消灯したいときにＯＦＦ操作するボタンである。
【００３２】
（ＬＥＤ素子の自動点灯、自動消灯に係る点灯制御）
図２は、本実施形態におけるＬＥＤ素子の自動点灯、自動消灯に係る点灯制御の制御フローを示している。本実施形態においては、上述したＬＥＤ素子点灯ボタン２１５のボタン操作に基づくマニュアル点灯、マニュアル消灯の他に、ＬＥＤ素子点灯ボタン２１５のボタン操作に基づかない自動点灯、自動消灯のモードがある。本実施形態におけるＬＥＤ素子の自動点灯、自動消灯に係る点灯制御の概要を示せば、以下の通りである。
【００３３】
本実施形態では、レンズが沈胴状態（カメラとして撮影不能状態）にあることを検知すると、ＬＥＤ素子２１１を自動的に消灯状態とする（図２の左側のフロー）。よって、レンズが沈胴状態に入る前にＬＥＤ素子２１１が点灯していたとしても、レンズが沈胴状態に入ると自動的に消灯することとなる。
【００３４】
また、本実施形態では、レンズが所定撮影状態（マクロ撮影を行うマクロ撮影状態）にあることを検知すると、カメラ本体が撮影スタンバイ条件を満たす場合（所定の撮影モード）にはＬＥＤ素子２１１を自動的に点灯状態とする（図２の右側のフロー）。よって、レンズがマクロ撮影状態に入る前にＬＥＤ素子２１１が消灯していたとしても、レンズがマクロ撮影状態に入り、かつ撮影スタンバイ条件を満たす場合には自動的に点灯することとなる。
【００３５】
そして、レンズがマクロ撮影状態にあることを検知しても、撮影スタンバイ条件を満たさない場合にはＬＥＤ素子２１１を自動的に消灯状態とする（図２の右側のフロー）。よって、レンズがマクロ撮影状態に入る前にＬＥＤ素子２１１が点灯していたとしても、レンズがマクロ撮影状態に入り、かつ撮影スタンバイ条件を満たさない場合には自動的に消灯することとなる。
【００３６】
ここで、本実施形態における撮影スタンバイ条件とは、撮影がすぐできる状況として以下のいずれかを満たすことである。
【００３７】
１）カメラ本体がファインダ非使用モードにあること
２）カメラ本体がファインダ使用モードにあって、ファインダへの接眼が検知されること（撮影時の映像確認に液晶画面を使用しないでファインダを使用する場合であって、接眼状態にあること）
３）カメラ本体がタイマー撮影にあること
４）カメラ本体がリモート撮影にあること
以下、図２を用い、本実施形態におけるＬＥＤ素子の自動点灯、自動消灯に係る点灯制御について、具体的に説明する。
【００３８】
通常のレンズ制御中（Ｓ２０１）にレンズの沈胴状態を検知したときは（Ｓ２０２）、ＬＥＤ素子２１１を使用しないため、自動的に消灯状態にする（Ｓ２０３）。また、レンズが沈胴状態でない場合でもマクロ撮影状態（マクロ状態）でないとき（Ｓ２０４）は、基本的にはＬＥＤ素子２１１を使用しないため、自動的に消灯状態にする（Ｓ２０３）。
【００３９】
また、レンズが沈胴状態でなく、マクロ撮影状態（マクロ状態）であるとき（Ｓ２０４）は、以下の条件のときはＬＥＤ素子２１１を自動的に点灯するよう制御する（Ｓ２０９）。この条件とは、上述したカメラ本体が撮影スタンバイ条件を満たす場合（所定の撮影モード）である。
【００４０】
１）カメラ本体の液晶画面を使用しファインダを使用しないモードでカメラを使用しているとき（Ｓ２０５）。
【００４１】
２）カメラ本体のファインダを使用するモードにおいて、ファインダ部に眼を接眼しているとき（Ｓ２０６）。
【００４２】
３）ファインダを使用するモードでかつ接眼もしていないが、タイマー撮影であるとき（Ｓ２０７）。
【００４３】
４）ファインダを使用するモードでかつ接眼もしていないが、リモート撮影であるとき（Ｓ２０８）。
【００４４】
これらの４つの条件に合わない場合は、ＬＥＤ素子２１１を消灯するよう制御する（Ｓ２１０）。
【００４５】
（本実施形態の効果）
本実施形態によれば、ＬＥＤ素子２１１による照明が明らかに必要でないときは自動的に消灯されるようになり、ＬＥＤ素子２１１の消灯し忘れや、手動で消灯する煩わしさを無くすことができる。また、ＬＥＤ素子２１１による照明が明らかに必要であると考えられるときは自動的に点灯されるようになり、手動で点灯する煩わしさを無くすことができる。
【００４６】
なお、本実施形態における自動での点灯・消灯制御が実際の使用条件に対して不都合となる場合には、ＬＥＤ素子２１１に対する手動での点灯・消灯操作が優先されるよう、液晶表示部３１０の設定メニューや別のボタンで設定できるようにすればよい。
【００４７】
《第２の実施形態》
本発明の第２の実施形態におけるカメラシステムのブロック図は、第１の実施形態に係る図１と同じである。第１の実施形態では、レンズが沈胴状態でない場合でもマクロ撮影状態（マクロ状態）でないときは、基本的にはＬＥＤ素子２１１を使用しないため、自動的に消灯状態にした。これに対し、本実施形態では、通常撮影状態である非マクロ撮影状態において、特別にＬＥＤ素子２１１を使用しようとユーザーがＬＥＤ素子点灯ボタン２１５をＯＮ操作することを前提とする。
【００４８】
本実施形態においては、通常撮影状態でユーザーが点灯指示としてＬＥＤ素子点灯ボタン２１５をＯＮ操作するとき、更にシャッターボタン３１１が操作されると撮影スタンバイ条件を満たすと判断し、ＬＥＤ素子２１１を自動的に点灯するよう制御する。
【００４９】
即ち、図３で、通常のレンズ制御中（Ｓ３０１）にＬＥＤ素子点灯ボタン２１５がＯＮとされていて（Ｓ３０２）、かつシャッターボタン３１１が操作されているときにＬＥＤ素子２１１を点灯するよう制御する（Ｓ３０４）。シャッターボタン３１１が操作されていなければ、ＬＥＤ素子点灯ボタン２１５のＯＮ／ＯＦＦの状態に関わらず、ＬＥＤ素子２１１は消灯するよう制御する（Ｓ３０５）。
【００５０】
（本実施形態の効果）
本実施形態によれば、ＬＥＤ素子２１１による照明がユーザーにとって必要であると考えられるとき、撮影動作（シャッタ動作）に関連して自動的に点灯されることとなる。そのため、マニュアル点灯によって長い間に渡って点灯する場合に比べ、無駄な消費電力を抑えることができる。
【００５１】
（変形例）
以上、本発明の好ましい実施形態について説明したが、本発明はこれらの実施形態に限定されず、その要旨の範囲内で種々の変形及び変更が可能である。
【００５２】
（変形例１）
第１の実施形態では、レンズのマクロ撮影状態およびカメラ本体の撮影スタンバイ状態に応じて、制御手段が光源を自動的に点灯させるように制御したが、レンズのマクロ撮影状態に応じて、制御手段が光源を自動的に点灯させるように制御しても良い。また、レンズの非マクロ撮影状態（マクロ状態と異なる撮影状態）に応じて、制御手段が光源を自動的に消灯させるように制御しても良い。
【００５３】
（変形例２）
上述した実施形態では、ＬＥＤ素子２１１はレンズ内蔵として説明したが、外付けのＬＥＤライトとしても良い（この場合、外付けのＬＥＤライトと交換レンズユニット２００とカメラボディ３００が連動して動作する）。
【００５４】
（変形例３）
上述した実施形態では、ＬＥＤ素子点灯ボタン２１５は交換レンズユニット２００側に設けられたが、カメラボディ３００側に設けられても良い。また、物理的なボタンでは無く、メニューからの設定でも実現できる。
【００５５】
（変形例４）
上述した実施形態では、触れていないが、カメラボディ３００や交換レンズユニット２００が省電力モード（あるいはスタンバイモード、スリープモード等）に入るとき、レンズＣＰＵ２０３は自動的にＬＥＤ素子２１１を消灯させるようにしても良い。
【００５６】
（変形例５）
上述した実施形態では、被写体照明用の光源として複数のＬＥＤ素子２１１を用いたが、種類や個数は限定されず、有機エレクトロルミネッセンス（有機ＥＬ）を用いる場合や単一の光源を用いる場合でも良い。
【００５７】
（変形例６）
上述した実施形態では、レンズとして単一のフォーカスレンズ２０４を説明したが、レンズの機能や個数は限定されず、撮影レンズとしてズームレンズを含め、複数のレンズを備えるレンズ系としても良い。
【符号の説明】
【００５８】
２００・・交換レンズユニット、２０３・・レンズＣＰＵ、２０４・・フォーカスレンズ、２１１・・ＬＥＤ素子、３００・・カメラボディ（カメラ本体）
【図１】
2017142426.tif 000003
【図２】
2017142426.tif 000004
【図３】
2017142426.tif 000005